(57)【要約】【課題】第１の装置が記憶する設定データと同一の設定データを第２の装置に記憶させる、第１の装置と第２の装置を備えるシステムにおいて、データ書き換えに要する時間を短縮するデータ書き換え方法を提供する。【解決手段】無線装置２の記憶部１０が記憶する設定データからは、設定データ分割部１２および属性判別符号生成部１４によって無線装置側属性判別符号群が生成される。無線装置側属性判別符号群は遠隔制御装置１の比較部１８に入力される。遠隔制御装置１の記憶部１０が記憶する設定データからは、無線装置側属性判別符号群と同様に遠隔制御装置側属性判別符号群が生成され、比較部１８に入力される。書き換えデータ抽出部２０は、比較部１８の比較結果に基づいて、書き換えデータを記憶部１０から読み込み、無線装置２へ送信し、無線装置２の記憶部１０が記憶する設定データに上書きする。【選択図】図１
2005327032.tif 000002
【特許請求の範囲】
【請求項１】
第１の装置が記憶する第１のデータを分割して得られる複数の分割データのそれぞれについて、前記分割データの属性を判別するためのデータである属性判別データを、それぞれの分割データに基づいて生成することによって第１の属性判別データ群を生成するステップと、
第２の装置が記憶する第２のデータを分割して得られる複数の分割データのそれぞれについて、前記属性判別データを、それぞれの分割データに基づいて生成することによって第２の属性判別データ群を生成するステップと、
前記第２のデータを分割して得られた分割データのうち、前記第１の属性判別データ群に属する属性判別データと前記第２の属性判別データ群に属する属性判別データとで異なる属性判別データを生成した分割データについて、データを書き換えるステップとを含み、
前記第１の装置が記憶する第１のデータと前記第２の装置が記憶する第２のデータとが一致するよう、前記第２のデータを書き換えることを特徴とするデータ書き換え方法。
【請求項２】
第１の装置が記憶する第１のデータを分割して得られる複数の分割データのそれぞれについて、前記分割データの属性を判別するためのデータである属性判別データを、それぞれの分割データに基づいて生成することによって第１の属性判別データ群を生成するステップと、
第２の装置が記憶する第２のデータを分割して得られる複数の分割データのそれぞれについて、前記属性判別データを、それぞれの分割データに基づいて生成することによって第２の属性判別データ群を生成するステップと、
前記第２の属性判別データ群を前記第２の装置から前記第１の装置へ送信するステップと、
前記第１のデータを分割して得られた分割データのうち、前記第１の属性判別データ群に属する属性判別データと前記第２の属性判別データ群に属する属性判別データとで異なる属性判別データを生成した分割データを、前記第２の装置へ送信して上書きすることによって書き換えるステップとを含み、
前記第１の装置が記憶する第１のデータと前記第２の装置が記憶する第２のデータとが一致するよう、前記第２のデータを書き換えることを特徴とするデータ書き換え方法。
【請求項３】
遠隔制御装置からは、無線送信すべき送信信号と、無線装置を制御する制御信号とを有線送信し、
無線装置においては、前記制御信号を有線受信して当該制御信号に基づいて動作するとともに、前記遠隔制御装置が有線送信した前記送信信号を無線送信し、
前記無線装置からは、自らが無線受信した受信信号を有線送信し、
前記遠隔制御装置においては、前記無線装置が有線送信した前記受信信号を有線受信し、
前記遠隔制御装置は、前記無線装置を制御することが可能な制御信号を規定するための設定データを記憶し、
前記無線装置は、前記制御信号に基づく動作を可能にするための設定データを記憶し、当該設定データによって動作設定され、前記制御信号に基づいて動作する、前記遠隔制御装置と前記無線装置とを備える無線装置遠隔制御システムに適用されるデータ書き換え方法であって、
前記遠隔制御装置が記憶する第１の設定データを分割して得られる複数の分割設定データのそれぞれについて、前記分割設定データの属性を判別するためのデータである属性判別データを、それぞれの分割設定データに基づいて生成することによって第１の属性判別データ群を生成するステップと、
前記無線装置が記憶する第２の設定データを分割して得られる複数の分割設定データのそれぞれについて、前記属性判別データを、それぞれの分割設定データに基づいて生成することによって第２の属性判別データ群を生成するステップと、
前記第２の設定データを分割して得られた分割設定データのうち、前記第１の属性判別データ群に属する属性判別データと前記第２の属性判別データ群に属する属性判別データとで異なる属性判別データを生成した分割設定データについて、データを書き換えるステップとを含み、
前記遠隔制御装置が記憶する第１の設定データと前記無線装置が記憶する第２の設定データとが一致するよう、前記第２の設定データを書き換えることを特徴とするデータ書き換え方法。
【請求項４】
遠隔制御装置からは、無線送信すべき送信信号と、無線装置を制御する制御信号とを有線送信し、
無線装置においては、前記制御信号を有線受信して当該制御信号に基づいて動作するとともに、前記遠隔制御装置が有線送信した前記送信信号を無線送信し、
前記無線装置からは、自らが無線受信した受信信号を有線送信し、
前記遠隔制御装置においては、前記無線装置が有線送信した前記受信信号を有線受信し、
前記遠隔制御装置は、前記無線装置を制御することが可能な制御信号を規定するための設定データを記憶し、
前記無線装置は、前記制御信号に基づく動作を可能にするための設定データを記憶し、当該設定データによって動作設定され、前記制御信号に基づいて動作する、前記遠隔制御装置と前記無線装置とを備える無線装置遠隔制御システムに適用されるデータ書き換え方法であって、
前記遠隔制御装置が記憶する第１の設定データを分割して得られる複数の分割設定データのそれぞれについて、前記分割設定データの属性を判別するためのデータである属性判別データを、それぞれの分割設定データに基づいて生成することによって第１の属性判別データ群を生成するステップと、
前記無線装置が記憶する第２の設定データを分割して得られる複数の分割設定データのそれぞれについて、前記属性判別データを、それぞれの分割設定データに基づいて生成することによって第２の属性判別データ群を生成するステップと、
前記第２の属性判別データ群を前記無線装置から前記遠隔制御装置へ有線送信するステップと、
前記第１の設定データを分割して得られた分割設定データのうち、前記第１の属性判別データ群に属する属性判別データと前記第２の属性判別データ群に属する属性判別データとで異なる属性判別データを生成した分割設定データを、前記無線装置へ有線送信して上書きすることによって設定データを書き換えるステップとを含み、
前記遠隔制御装置が記憶する第１の設定データと前記無線装置が記憶する第２の設定データとが一致するよう、前記第２の設定データを書き換えることを特徴とするデータ書き換え方法。
【請求項５】
遠隔制御装置からは、無線送信すべき送信信号と、無線装置を制御する制御信号とを有線送信し、
無線装置においては、前記制御信号を有線受信して当該制御信号に基づいて動作するとともに、前記遠隔制御装置が有線送信した前記送信信号を無線送信し、
前記無線装置からは、自らが無線受信した受信信号を有線送信し、
前記遠隔制御装置においては、前記無線装置が有線送信した前記受信信号を有線受信し、
前記遠隔制御装置は、前記無線装置を制御することが可能な制御信号を規定するための設定データを記憶し、
前記無線装置は、前記制御信号に基づく動作を可能にするための設定データを記憶し、当該設定データによって動作設定され、前記制御信号に基づいて動作する、前記遠隔制御装置と前記無線装置とを備える無線装置遠隔制御システムに適用されるデータ書き換え方法であって、
前記無線装置が記憶する第１の設定データを分割して得られる複数の分割設定データのそれぞれについて、前記分割設定データの属性を判別するためのデータである属性判別データを、それぞれの分割設定データに基づいて生成することによって第１の属性判別データ群を生成するステップと、
前記遠隔制御装置が記憶する第２の設定データを分割して得られる複数の分割設定データのそれぞれについて、前記属性判別データを、それぞれの分割設定データに基づいて生成することによって第２の属性判別データ群を生成するステップと、
前記第２の設定データを分割して得られた分割設定データのうち、前記第１の属性判別データ群に属する属性判別データと前記第２の属性判別データ群に属する属性判別データとで異なる属性判別データを生成した分割設定データについて、データを書き換えるステップとを含み、
前記無線装置が記憶する第１の設定データと前記遠隔制御装置が記憶する第２の設定データとが一致するよう、前記第２の設定データを書き換えることを特徴とするデータ書き換え方法。
【請求項６】
遠隔制御装置からは、無線送信すべき送信信号と、無線装置を制御する制御信号とを有線送信し、
無線装置においては、前記制御信号を有線受信して当該制御信号に基づいて動作するとともに、前記遠隔制御装置が有線送信した前記送信信号を無線送信し、
前記無線装置からは、自らが無線受信した受信信号を有線送信し、
前記遠隔制御装置においては、前記無線装置が有線送信した前記受信信号を有線受信し、
前記遠隔制御装置は、前記無線装置を制御することが可能な制御信号を規定するための設定データを記憶し、
前記無線装置は、前記制御信号に基づく動作を可能にするための設定データを記憶し、当該設定データによって動作設定され、前記制御信号に基づいて動作する、前記遠隔制御装置と前記無線装置とを備える無線装置遠隔制御システムに適用されるデータ書き換え方法であって、
前記無線装置が記憶する第１の設定データを分割して得られる複数の分割設定データのそれぞれについて、前記分割設定データの属性を判別するためのデータである属性判別データを、それぞれの分割設定データに基づいて生成することによって第１の属性判別データ群を生成するステップと、
前記遠隔制御装置が記憶する第２の設定データを分割して得られる複数の分割設定データのそれぞれについて、前記属性判別データを、それぞれの分割設定データに基づいて生成することによって第２の属性判別データ群を生成するステップと、
前記第２の属性判別データ群を前記遠隔制御装置から前記無線装置へ有線送信するステップと、
前記第１の設定データを分割して得られた分割設定データのうち、前記第１の属性判別データ群に属する属性判別データと前記第２の属性判別データ群に属する属性判別データとで異なる属性判別データを生成した分割設定データを、前記遠隔制御装置へ有線送信して上書きすることによって設定データを書き換えるステップとを含み、
前記無線装置が記憶する第１の設定データと前記遠隔制御装置が記憶する第２の設定データとが一致するよう、前記第２の設定データを書き換えることを特徴とするデータ書き換え方法。
【請求項７】
請求項１または請求項２に記載のデータ書き換え方法において、
前記属性判別データは、前記分割データを表す分割符号列に、当該分割符号列の属性判別が可能な符号列を生成する演算である属性算出演算を施すことで生成されることを特徴とするデータ書き換え方法。
【請求項８】
請求項３から請求項６のいずれか１項に記載のデータ書き換え方法において、
前記属性判別データは、前記分割設定データを表す分割符号列に、当該分割符号列の属性判別が可能な符号列を生成する演算である属性算出演算を施すことで生成されることを特徴とするデータ書き換え方法。
【請求項９】
第１の装置が記憶する第１のデータと第２の装置が記憶する第２のデータとが一致するよう、データを書き換えるデータ書き換えシステムにおいて、
前記第１の装置は、前記第１のデータを分割して得られる複数の分割データのそれぞれについて、前記分割データの属性を判別するためのデータである属性判別データを、それぞれの分割データに基づいて生成することによって第１の属性判別データ群を生成し、
前記第２の装置は、前記第２のデータを分割して得られる複数の分割データのそれぞれについて、前記属性判別データを、それぞれの分割データに基づいて生成することによって第２の属性判別データ群を生成し、
前記第２の装置は、前記第２のデータを分割して得られた分割データのうち、前記第１の属性判別データ群に属する属性判別データと前記第２の属性判別データ群に属する属性判別データとで異なる属性判別データを生成した分割データについて、データを書き換えることを特徴とするデータ書き換えシステム。
【請求項１０】
第１の装置が記憶する第１のデータと第２の装置が記憶する第２のデータとが一致するよう、データを書き換えるデータ書き換えシステムにおいて、
前記第１の装置は、前記第１のデータを分割して得られる複数の分割データのそれぞれについて、前記分割データの属性を判別するためのデータである属性判別データを、それぞれの分割データに基づいて生成することによって第１の属性判別データ群を生成し、
前記第２の装置は、前記第２のデータを分割して得られる複数の分割データのそれぞれについて、前記属性判別データを、それぞれの分割データに基づいて生成することによって第２の属性判別データ群を生成し、
前記第２の属性判別データ群を前記第２の装置から前記第１の装置へ送信し、
前記第１の装置は、前記第１のデータを分割して得られた分割データのうち、前記第１の属性判別データ群に属する属性判別データと前記第２の属性判別データ群に属する属性判別データとで異なる属性判別データを生成した分割データを、前記第２の装置へ送信して上書きすることによって書き換えることを特徴とするデータ書き換えシステム。
【請求項１１】
遠隔制御装置からは、無線送信すべき送信信号と、無線装置を制御する制御信号とを有線送信し、
無線装置においては、前記制御信号を有線受信して当該制御信号に基づいて動作するとともに、前記遠隔制御装置が有線送信した前記送信信号を無線送信し、
前記無線装置からは、自らが無線受信した受信信号を有線送信し、
前記遠隔制御装置においては、前記無線装置が有線送信した前記受信信号を有線受信し、
前記遠隔制御装置は、前記無線装置を制御することが可能な制御信号を規定するための設定データを記憶し、
前記無線装置は、前記制御信号に基づく動作を可能にするための設定データを記憶し、当該設定データによって動作設定され、前記制御信号に基づいて動作する、前記遠隔制御装置と前記無線装置とを備える無線装置遠隔制御システムにおいて、
前記遠隔制御装置は、前記遠隔制御装置が記憶する第１の設定データを分割して得られる複数の分割設定データのそれぞれについて、前記分割設定データの属性を判別するためのデータである属性判別データを、それぞれの分割設定データに基づいて生成することによって第１の属性判別データ群を生成し、
前記無線装置は、前記無線装置が記憶する第２の設定データを分割して得られる複数の分割設定データのそれぞれについて、前記属性判別データを、それぞれの分割設定データに基づいて生成することによって第２の属性判別データ群を生成し、
前記無線装置は、前記第２の設定データを分割して得られた分割設定データのうち、前記第１の属性判別データ群に属する属性判別データと前記第２の属性判別データ群に属する属性判別データとで異なる属性判別データを生成した分割設定データについて、データを書き換え、
前記遠隔制御装置が記憶する第１の設定データと前記無線装置が記憶する第２の設定データとが一致するよう、前記第２の設定データを書き換えることを特徴とする無線装置遠隔制御システム。
【請求項１２】
遠隔制御装置からは、無線送信すべき送信信号と、無線装置を制御する制御信号とを有線送信し、
無線装置においては、前記制御信号を有線受信して当該制御信号に基づいて動作するとともに、前記遠隔制御装置が有線送信した前記送信信号を無線送信し、
前記無線装置からは、自らが無線受信した受信信号を有線送信し、
前記遠隔制御装置においては、前記無線装置が有線送信した前記受信信号を有線受信し、
前記遠隔制御装置は、前記無線装置を制御することが可能な制御信号を規定するための設定データを記憶し、
前記無線装置は、前記制御信号に基づく動作を可能にするための設定データを記憶し、当該設定データによって動作設定され、前記制御信号に基づいて動作する、前記遠隔制御装置と前記無線装置とを備える無線装置遠隔制御システムにおいて、
前記遠隔制御装置は、前記遠隔制御装置が記憶する第１の設定データを分割して得られる複数の分割設定データのそれぞれについて、前記分割設定データの属性を判別するためのデータである属性判別データを、それぞれの分割設定データに基づいて生成することによって第１の属性判別データ群を生成し、
前記無線装置は、前記無線装置が記憶する第２の設定データを分割して得られる複数の分割設定データのそれぞれについて、前記属性判別データを、それぞれの分割設定データに基づいて生成することによって第２の属性判別データ群を生成し、
前記無線装置は、前記第２の属性判別データ群を前記無線装置から前記遠隔制御装置へ有線送信し、
前記遠隔制御装置は、前記第１の設定データを分割して得られた分割設定データのうち、前記第１の属性判別データ群に属する属性判別データと前記第２の属性判別データ群に属する属性判別データとで異なる属性判別データを生成した分割設定データを、前記無線装置へ有線送信して上書きすることによって設定データを書き換え、
前記遠隔制御装置が記憶する第１の設定データと前記無線装置が記憶する第２の設定データとが一致するよう、前記第２の設定データを書き換えることを特徴とする無線装置遠隔制御システム。
【請求項１３】
遠隔制御装置からは、無線送信すべき送信信号と、無線装置を制御する制御信号とを有線送信し、
無線装置においては、前記制御信号を有線受信して当該制御信号に基づいて動作するとともに、前記遠隔制御装置が有線送信した前記送信信号を無線送信し、
前記無線装置からは、自らが無線受信した受信信号を有線送信し、
前記遠隔制御装置においては、前記無線装置が有線送信した前記受信信号を有線受信し、
前記遠隔制御装置は、前記無線装置を制御することが可能な制御信号を規定するための設定データを記憶し、
前記無線装置は、前記制御信号に基づく動作を可能にするための設定データを記憶し、当該設定データによって動作設定され、前記制御信号に基づいて動作する、前記遠隔制御装置と前記無線装置とを備える無線装置遠隔制御システムにおいて、
前記無線装置は、前記無線装置が記憶する第１の設定データを分割して得られる複数の分割設定データのそれぞれについて、前記分割設定データの属性を判別するためのデータである属性判別データを、それぞれの分割設定データに基づいて生成することによって第１の属性判別データ群を生成し、
前記遠隔制御装置は、前記遠隔制御装置が記憶する第２の設定データを分割して得られる複数の分割設定データのそれぞれについて、前記属性判別データを、それぞれの分割設定データに基づいて生成することによって第２の属性判別データ群を生成し、
前記遠隔制御装置は、前記第２の設定データを分割して得られた分割設定データのうち、前記第１の属性判別データ群に属する属性判別データと前記第２の属性判別データ群に属する属性判別データとで異なる属性判別データを生成した分割設定データについて、データを書き換え、
前記無線装置が記憶する第１の設定データと前記遠隔制御装置が記憶する第２の設定データとが一致するよう、前記第２の設定データを書き換えることを特徴とする無線装置遠隔制御システム。
【請求項１４】
遠隔制御装置からは、無線送信すべき送信信号と、無線装置を制御する制御信号とを有線送信し、
無線装置においては、前記制御信号を有線受信して当該制御信号に基づいて動作するとともに、前記遠隔制御装置が有線送信した前記送信信号を無線送信し、
前記無線装置からは、自らが無線受信した受信信号を有線送信し、
前記遠隔制御装置においては、前記無線装置が有線送信した前記受信信号を有線受信し、
前記遠隔制御装置は、前記無線装置を制御することが可能な制御信号を規定するための設定データを記憶し、
前記無線装置は、前記制御信号に基づく動作を可能にするための設定データを記憶し、当該設定データによって動作設定され、前記制御信号に基づいて動作する、前記遠隔制御装置と前記無線装置とを備える無線装置遠隔制御システムにおいて、
前記無線装置は、前記無線装置が記憶する第１の設定データを分割して得られる複数の分割設定データのそれぞれについて、前記分割設定データの属性を判別するためのデータである属性判別データを、それぞれの分割設定データに基づいて生成することによって第１の属性判別データ群を生成し、
前記遠隔制御装置は、前記遠隔制御装置が記憶する第２の設定データを分割して得られる複数の分割設定データのそれぞれについて、前記属性判別データを、それぞれの分割設定データに基づいて生成することによって第２の属性判別データ群を生成し、
前記遠隔制御装置は、前記第２の属性判別データ群を前記遠隔制御装置から前記無線装置へ有線送信し、
前記無線装置は、前記第１の設定データを分割して得られた分割設定データのうち、前記第１の属性判別データ群に属する属性判別データと前記第２の属性判別データ群に属する属性判別データとで異なる属性判別データを生成した分割設定データを、前記遠隔制御装置へ有線送信して上書きすることによって設定データを書き換え、
前記無線装置が記憶する第１の設定データと前記遠隔制御装置が記憶する第２の設定データとが一致するよう、前記第２の設定データを書き換えることを特徴とする無線装置遠隔制御システム。
【請求項１５】
請求項９または請求項１０に記載のデータ書き換えシステムにおいて、
前記属性判別データは、前記分割データを表す分割符号列に、当該分割符号列の属性判別が可能な符号列を生成する演算である属性算出演算を施すことで生成されることを特徴とするデータ書き換えシステム。
【請求項１６】
請求項１１から請求項１４のいずれか１項に記載の無線装置遠隔制御システムにおいて、
前記属性判別データは、前記分割設定データを表す分割符号列に、当該分割符号列の属性判別が可能な符号列を生成する演算である属性算出演算を施すことで生成されることを特徴とする無線装置遠隔制御システム。
【発明の詳細な説明】
【技術分野】
【０００１】
本発明は、装置に記憶されているデータを書き換える方法およびその方法を適用したシステムに関するものである。
【背景技術】
【０００２】
無線通信装置とそれを遠隔制御する遠隔制御装置で構成される無線装置遠隔制御システムでは、遠隔制御装置が無線装置を制御する制御信号を送信し、無線装置はその制御信号に基づいて動作する。遠隔制御装置は制御信号を規定するための設定データを自ら記憶しており、その設定データに基づいて制御信号を生成する。また、無線装置は当該制御信号に基づく動作を可能にするための設定データを自ら記憶し、その設定データによる動作設定に基づいて遠隔制御装置による制御を受ける。したがって、無線装置遠隔制御システムを構築するには、遠隔制御装置と無線装置とで同一の設定データを記憶させておく必要がある。
【０００３】
遠隔制御装置と無線装置とで同一の設定データを記憶させる方式としては、遠隔制御装置から設定データを送信し、無線装置に記憶させるものがある。例えば、設定データ更新時には、遠隔制御装置は新規の設定データを無線装置に送信し、それを記憶させてデータ書き換えを行う。また、システムの自己診断においては、遠隔制御装置は無線装置との通信により無線装置が記憶している設定データ内容を確認し、設定データに誤り等が発見された場合には、設定データを再送信して無線装置側の設定データを書き換える。この際、遠隔制御装置は無線装置から設定データを受信し、無線装置が記憶している設定データと比較し、相違があれば遠隔制御装置から当該データを再送信するという処理などが行われる。
【０００４】
また、先の方式とは逆に、無線装置から設定データを送信し、遠隔制御装置に記憶させる方式もある。設定データ更新時、あるいはシステムの自己診断などにおける設定データの書き換えは全く同様の処理によって行われる。
【０００５】
なお、遠隔地にある装置のデータを電話回線および無線回線で送受信するシステムについては、以下の文献に開示されている。
【０００６】
【非特許文献１】URL  www.mew.co.jp/tecrepo/83j/pdfs/83_13.pdf
【発明の開示】
【発明が解決しようとする課題】
【０００７】
従来の無線装置遠隔制御システムにおいては、設定データの更新やシステムの自己診断の際には、遠隔制御装置と無線装置との間で全ての設定データの送受信を行っていた。しかしながら、全ての設定データの送信には多大な通信時間を要し、また、送受信すべきデータ量が膨大なものとなるため符号誤りを生ずるおそれがあった。
【０００８】
本発明は、このような課題に対してなされたものであり、遠隔制御装置が記憶する設定データと無線制御装置が記憶する設定データとで異なる部分についてのみデータ書き換えを行うことで、データ書き換えに係るデータ量を削減し、設定データの更新やシステムの自己診断の時間を短縮したデータ書き換え方法およびその方法を適用したシステムを提供する。
【課題を解決するための手段】
【０００９】
本発明に係るデータ書き換え方法においては、第１の装置が記憶する第１のデータを分割して得られる複数の分割データのそれぞれについて、前記分割データの属性を判別するためのデータである属性判別データを、それぞれの分割データに基づいて生成することによって第１の属性判別データ群を生成するステップと、第２の装置が記憶する第２のデータを分割して得られる複数の分割データのそれぞれについて、前記属性判別データを、それぞれの分割データに基づいて生成することによって第２の属性判別データ群を生成するステップと、前記第２のデータを分割して得られた分割データのうち、前記第１の属性判別データ群に属する属性判別データと前記第２の属性判別データ群に属する属性判別データとで異なる属性判別データを生成した分割データについて、データを書き換えるステップとを含み、前記第１の装置が記憶する第１のデータと前記第２の装置が記憶する第２のデータとが一致するよう、前記第２のデータを書き換える。
【００１０】
また、本発明に係るデータ書き換え方法においては、第１の装置が記憶する第１のデータを分割して得られる複数の分割データのそれぞれについて、前記分割データの属性を判別するためのデータである属性判別データを、それぞれの分割データに基づいて生成することによって第１の属性判別データ群を生成するステップと、第２の装置が記憶する第２のデータを分割して得られる複数の分割データのそれぞれについて、前記属性判別データを、それぞれの分割データに基づいて生成することによって第２の属性判別データ群を生成するステップと、前記第２の属性判別データ群を前記第２の装置から前記第１の装置へ送信するステップと、前記第１のデータを分割して得られた分割データのうち、前記第１の属性判別データ群に属する属性判別データと前記第２の属性判別データ群に属する属性判別データとで異なる属性判別データを生成した分割データを、前記第２の装置へ送信してデータを上書きすることによって書き換えるステップとを含み、前記第１の装置が記憶する第１のデータと前記第２の装置が記憶する第２のデータとが一致するよう、前記第２のデータを書き換える。
【００１１】
また、本発明は、遠隔制御装置からは、無線送信すべき送信信号と、無線装置を制御する制御信号とを有線送信し、無線装置においては、前記制御信号を有線受信して当該制御信号に基づいて動作するとともに、前記遠隔制御装置が有線送信した前記送信信号を無線送信し、前記無線装置からは、自らが無線受信した受信信号を有線送信し、前記遠隔制御装置においては、前記無線装置が有線送信した前記受信信号を有線受信し、前記遠隔制御装置は、前記無線装置を制御することが可能な制御信号を規定するための設定データを記憶し、前記無線装置は、前記制御信号に基づく動作を可能にするための設定データを記憶し、当該設定データによって動作設定され、前記制御信号に基づいて動作する、前記遠隔制御装置と前記無線装置とを備える無線装置遠隔制御システムに適用されるデータ書き換え方法であって、前記遠隔制御装置が記憶する第１の設定データを分割して得られる複数の分割設定データのそれぞれについて、前記分割設定データの属性を判別するためのデータである属性判別データを、それぞれの分割設定データに基づいて生成することによって第１の属性判別データ群を生成するステップと、前記無線装置が記憶する第２の設定データを分割して得られる複数の分割設定データのそれぞれについて、前記属性判別データを、それぞれの分割設定データに基づいて生成することによって第２の属性判別データ群を生成するステップと、前記第２の設定データを分割して得られた分割設定データのうち、前記第１の属性判別データ群に属する属性判別データと前記第２の属性判別データ群に属する属性判別データとで異なる属性判別データを生成した分割設定データについて、データを書き換えるステップとを含み、前記遠隔制御装置が記憶する第１の設定データと前記無線装置が記憶する第２の設定データとが一致するよう、前記第２の設定データを書き換えることを特徴とする。
【００１２】
また、本発明は、遠隔制御装置からは、無線送信すべき送信信号と、無線装置を制御する制御信号とを有線送信し、無線装置においては、前記制御信号を有線受信して当該制御信号に基づいて動作するとともに、前記遠隔制御装置が有線送信した前記送信信号を無線送信し、前記無線装置からは、自らが無線受信した受信信号を有線送信し、前記遠隔制御装置においては、前記無線装置が有線送信した前記受信信号を有線受信し、前記遠隔制御装置は、前記無線装置を制御することが可能な制御信号を規定するための設定データを記憶し、前記無線装置は、前記制御信号に基づく動作を可能にするための設定データを記憶し、当該設定データによって動作設定され、前記制御信号に基づいて動作する、前記遠隔制御装置と前記無線装置とを備える無線装置遠隔制御システムに適用されるデータ書き換え方法であって、前記遠隔制御装置が記憶する第１の設定データを分割して得られる複数の分割設定データのそれぞれについて、前記分割設定データの属性を判別するためのデータである属性判別データを、それぞれの分割設定データに基づいて生成することによって第１の属性判別データ群を生成するステップと、前記無線装置が記憶する第２の設定データを分割して得られる複数の分割設定データのそれぞれについて、前記属性判別データを、それぞれの分割設定データに基づいて生成することによって第２の属性判別データ群を生成するステップと、前記第２の属性判別データ群を前記無線装置から前記遠隔制御装置へ有線送信するステップと、前記第１の設定データを分割して得られた分割設定データのうち、前記第１の属性判別データ群に属する属性判別データと前記第２の属性判別データ群に属する属性判別データとで異なる属性判別データを生成した分割設定データを、前記無線装置へ有線送信して上書きすることによって設定データを書き換えるステップとを含み、前記遠隔制御装置が記憶する第１の設定データと前記無線装置が記憶する第２の設定データとが一致するよう、前記第２の設定データを書き換えることを特徴とする。
【００１３】
また、本発明は、遠隔制御装置からは、無線送信すべき送信信号と、無線装置を制御する制御信号とを有線送信し、無線装置においては、前記制御信号を有線受信して当該制御信号に基づいて動作するとともに、前記遠隔制御装置が有線送信した前記送信信号を無線送信し、前記無線装置からは、自らが無線受信した受信信号を有線送信し、前記遠隔制御装置においては、前記無線装置が有線送信した前記受信信号を有線受信し、前記遠隔制御装置は、前記無線装置を制御することが可能な制御信号を規定するための設定データを記憶し、前記無線装置は、前記制御信号に基づく動作を可能にするための設定データを記憶し、当該設定データによって動作設定され、前記制御信号に基づいて動作する、前記遠隔制御装置と前記無線装置とを備える無線装置遠隔制御システムに適用されるデータ書き換え方法であって、前記無線装置が記憶する第１の設定データを分割して得られる複数の分割設定データのそれぞれについて、前記分割設定データの属性を判別するためのデータである属性判別データを、それぞれの分割設定データに基づいて生成することによって第１の属性判別データ群を生成するステップと、前記遠隔制御装置が記憶する第２の設定データを分割して得られる複数の分割設定データのそれぞれについて、前記属性判別データを、それぞれの分割設定データに基づいて生成することによって第２の属性判別データ群を生成するステップと、前記第２の設定データを分割して得られた分割設定データのうち、前記第１の属性判別データ群に属する属性判別データと前記第２の属性判別データ群に属する属性判別データとで異なる属性判別データを生成した分割設定データについて、データを書き換えるステップとを含み、前記無線装置が記憶する第１の設定データと前記遠隔制御装置が記憶する第２の設定データとが一致するよう、前記第２の設定データを書き換えることを特徴とする。
【００１４】
また、本発明は、遠隔制御装置からは、無線送信すべき送信信号と、無線装置を制御する制御信号とを有線送信し、無線装置においては、前記制御信号を有線受信して当該制御信号に基づいて動作するとともに、前記遠隔制御装置が有線送信した前記送信信号を無線送信し、前記無線装置からは、自らが無線受信した受信信号を有線送信し、前記遠隔制御装置においては、前記無線装置が有線送信した前記受信信号を有線受信し、前記遠隔制御装置は、前記無線装置を制御することが可能な制御信号を規定するための設定データを記憶し、前記無線装置は、前記制御信号に基づく動作を可能にするための設定データを記憶し、当該設定データによって動作設定され、前記制御信号に基づいて動作する、前記遠隔制御装置と前記無線装置とを備える無線装置遠隔制御システムに適用されるデータ書き換え方法であって、前記無線装置が記憶する第１の設定データを分割して得られる複数の分割設定データのそれぞれについて、前記分割設定データの属性を判別するためのデータである属性判別データを、それぞれの分割設定データに基づいて生成することによって第１の属性判別データ群を生成するステップと、前記遠隔制御装置が記憶する第２の設定データを分割して得られる複数の分割設定データのそれぞれについて、前記属性判別データを、それぞれの分割設定データに基づいて生成することによって第２の属性判別データ群を生成するステップと、前記第２の属性判別データ群を前記遠隔制御装置から前記無線装置へ有線送信するステップと、前記第１の設定データを分割して得られた分割設定データのうち、前記第１の属性判別データ群に属する属性判別データと前記第２の属性判別データ群に属する属性判別データとで異なる属性判別データを生成した分割設定データを、前記遠隔制御装置へ有線送信して上書きすることによって設定データを書き換えるステップとを含み、前記無線装置が記憶する第１の設定データと前記遠隔制御装置が記憶する第２の設定データとが一致するよう、前記第２の設定データを書き換えることを特徴とする。
【００１５】
また、本発明に係るデータ書き換え方法においては、前記属性判別データは、前記分割データまたは前記分割設定データを表す分割符号列に、当該分割符号列の属性判別が可能な符号列を生成する演算である属性算出演算を施すことで生成されるものとすることが好適である。
【００１６】
また、本発明は、第１の装置が記憶する第１のデータと第２の装置が記憶する第２のデータとが一致するよう、データを書き換えるデータ書き換えシステムにおいて、前記第１の装置は、前記第１のデータを分割して得られる複数の分割データのそれぞれについて、前記分割データの属性を判別するためのデータである属性判別データを、それぞれの分割データに基づいて生成することによって第１の属性判別データ群を生成し、前記第２の装置は、前記第２のデータを分割して得られる複数の分割データのそれぞれについて、前記属性判別データを、それぞれの分割データに基づいて生成することによって第２の属性判別データ群を生成し、前記第２の装置は、前記第２のデータを分割して得られた分割データのうち、前記第１の属性判別データ群に属する属性判別データと前記第２の属性判別データ群に属する属性判別データとで異なる属性判別データを生成した分割データについて、データを書き換えることを特徴とする。
【００１７】
また、本発明は、第１の装置が記憶する第１のデータと第２の装置が記憶する第２のデータとが一致するよう、データを書き換えるデータ書き換えシステムにおいて、前記第１の装置は、前記第１のデータを分割して得られる複数の分割データのそれぞれについて、前記分割データの属性を判別するためのデータである属性判別データを、それぞれの分割データに基づいて生成することによって第１の属性判別データ群を生成し、前記第２の装置は、前記第２のデータを分割して得られる複数の分割データのそれぞれについて、前記属性判別データを、それぞれの分割データに基づいて生成することによって第２の属性判別データ群を生成し、前記第２の属性判別データ群を前記第２の装置から前記第１の装置へ送信し、前記第１の装置は、前記第１のデータを分割して得られた分割データのうち、前記第１の属性判別データ群に属する属性判別データと前記第２の属性判別データ群に属する属性判別データとで異なる属性判別データを生成した分割データを、前記第２の装置へ送信して上書きすることによって書き換えることを特徴とする。
【００１８】
また、本発明は、遠隔制御装置からは、無線送信すべき送信信号と、無線装置を制御する制御信号とを有線送信し、無線装置においては、前記制御信号を有線受信して当該制御信号に基づいて動作するとともに、前記遠隔制御装置が有線送信した前記送信信号を無線送信し、前記無線装置からは、自らが無線受信した受信信号を有線送信し、前記遠隔制御装置においては、前記無線装置が有線送信した前記受信信号を有線受信し、前記遠隔制御装置は、前記無線装置を制御することが可能な制御信号を規定するための設定データを記憶し、前記無線装置は、前記制御信号に基づく動作を可能にするための設定データを記憶し、当該設定データによって動作設定され、前記制御信号に基づいて動作する、前記遠隔制御装置と前記無線装置とを備える無線装置遠隔制御システムにおいて、前記遠隔制御装置は、前記遠隔制御装置が記憶する第１の設定データを分割して得られる複数の分割設定データのそれぞれについて、前記分割設定データの属性を判別するためのデータである属性判別データを、それぞれの分割設定データに基づいて生成することによって第１の属性判別データ群を生成し、前記無線装置は、前記無線装置が記憶する第２の設定データを分割して得られる複数の分割設定データのそれぞれについて、前記属性判別データを、それぞれの分割設定データに基づいて生成することによって第２の属性判別データ群を生成し、前記無線装置は、前記第２の設定データを分割して得られた分割設定データのうち、前記第１の属性判別データ群に属する属性判別データと前記第２の属性判別データ群に属する属性判別データとで異なる属性判別データを生成した分割設定データについて、データを書き換え、前記遠隔制御装置が記憶する第１の設定データと前記無線装置が記憶する第２の設定データとが一致するよう、前記第２の設定データを書き換えることを特徴とする。
【００１９】
また、本発明は、遠隔制御装置からは、無線送信すべき送信信号と、無線装置を制御する制御信号とを有線送信し、無線装置においては、前記制御信号を有線受信して当該制御信号に基づいて動作するとともに、前記遠隔制御装置が有線送信した前記送信信号を無線送信し、前記無線装置からは、自らが無線受信した受信信号を有線送信し、前記遠隔制御装置においては、前記無線装置が有線送信した前記受信信号を有線受信し、前記遠隔制御装置は、前記無線装置を制御することが可能な制御信号を規定するための設定データを記憶し、前記無線装置は、前記制御信号に基づく動作を可能にするための設定データを記憶し、当該設定データによって動作設定され、前記制御信号に基づいて動作する、前記遠隔制御装置と前記無線装置とを備える無線装置遠隔制御システムにおいて、前記遠隔制御装置は、前記遠隔制御装置が記憶する第１の設定データを分割して得られる複数の分割設定データのそれぞれについて、前記分割設定データの属性を判別するためのデータである属性判別データを、それぞれの分割設定データに基づいて生成することによって第１の属性判別データ群を生成し、前記無線装置は、前記無線装置が記憶する第２の設定データを分割して得られる複数の分割設定データのそれぞれについて、前記属性判別データを、それぞれの分割設定データに基づいて生成することによって第２の属性判別データ群を生成し、前記無線装置は、前記第２の属性判別データ群を前記無線装置から前記遠隔制御装置へ有線送信し、前記遠隔制御装置は、前記第１の設定データを分割して得られた分割設定データのうち、前記第１の属性判別データ群に属する属性判別データと前記第２の属性判別データ群に属する属性判別データとで異なる属性判別データを生成した分割設定データを、前記無線装置へ有線送信して上書きすることによって設定データを書き換え、前記遠隔制御装置が記憶する第１の設定データと前記無線装置が記憶する第２の設定データとが一致するよう、前記第２の設定データを書き換えることを特徴とする。
【００２０】
また、本発明は、遠隔制御装置からは、無線送信すべき送信信号と、無線装置を制御する制御信号とを有線送信し、無線装置においては、前記制御信号を有線受信して当該制御信号に基づいて動作するとともに、前記遠隔制御装置が有線送信した前記送信信号を無線送信し、前記無線装置からは、自らが無線受信した受信信号を有線送信し、前記遠隔制御装置においては、前記無線装置が有線送信した前記受信信号を有線受信し、前記遠隔制御装置は、前記無線装置を制御することが可能な制御信号を規定するための設定データを記憶し、前記無線装置は、前記制御信号に基づく動作を可能にするための設定データを記憶し、当該設定データによって動作設定され、前記制御信号に基づいて動作する、前記遠隔制御装置と前記無線装置とを備える無線装置遠隔制御システムにおいて、前記無線装置は、前記無線装置が記憶する第１の設定データを分割して得られる複数の分割設定データのそれぞれについて、前記分割設定データの属性を判別するためのデータである属性判別データを、それぞれの分割設定データに基づいて生成することによって第１の属性判別データ群を生成し、前記遠隔制御装置は、前記遠隔制御装置が記憶する第２の設定データを分割して得られる複数の分割設定データのそれぞれについて、前記属性判別データを、それぞれの分割設定データに基づいて生成することによって第２の属性判別データ群を生成し、前記遠隔制御装置は、前記第２の設定データを分割して得られた分割設定データのうち、前記第１の属性判別データ群に属する属性判別データと前記第２の属性判別データ群に属する属性判別データとで異なる属性判別データを生成した分割設定データについて、データを書き換え、前記無線装置が記憶する第１の設定データと前記遠隔制御装置が記憶する第２の設定データとが一致するよう、前記第２の設定データを書き換えることを特徴とする。
【００２１】
また、本発明は、遠隔制御装置からは、無線送信すべき送信信号と、無線装置を制御する制御信号とを有線送信し、無線装置においては、前記制御信号を有線受信して当該制御信号に基づいて動作するとともに、前記遠隔制御装置が有線送信した前記送信信号を無線送信し、前記無線装置からは、自らが無線受信した受信信号を有線送信し、前記遠隔制御装置においては、前記無線装置が有線送信した前記受信信号を有線受信し、前記遠隔制御装置は、前記無線装置を制御することが可能な制御信号を規定するための設定データを記憶し、前記無線装置は、前記制御信号に基づく動作を可能にするための設定データを記憶し、当該設定データによって動作設定され、前記制御信号に基づいて動作する、前記遠隔制御装置と前記無線装置とを備える無線装置遠隔制御システムにおいて、前記無線装置は、前記無線装置が記憶する第１の設定データを分割して得られる複数の分割設定データのそれぞれについて、前記分割設定データの属性を判別するためのデータである属性判別データを、それぞれの分割設定データに基づいて生成することによって第１の属性判別データ群を生成し、前記遠隔制御装置は、前記遠隔制御装置が記憶する第２の設定データを分割して得られる複数の分割設定データのそれぞれについて、前記属性判別データを、それぞれの分割設定データに基づいて生成することによって第２の属性判別データ群を生成し、前記遠隔制御装置は、前記第２の属性判別データ群を前記遠隔制御装置から前記無線装置へ有線送信し、前記無線装置は、前記第１の設定データを分割して得られた分割設定データのうち、前記第１の属性判別データ群に属する属性判別データと前記第２の属性判別データ群に属する属性判別データとで異なる属性判別データを生成した分割設定データを、前記遠隔制御装置へ有線送信して上書きすることによって設定データを書き換え、前記無線装置が記憶する第１の設定データと前記遠隔制御装置が記憶する第２の設定データとが一致するよう、前記第２の設定データを書き換えることを特徴とする。
【００２２】
また、本発明に係るデータ書き換えシステムにおいては、前記属性判別データは、前記分割データを表す分割符号列に、当該分割符号列の属性判別が可能な符号列を生成する演算である属性算出演算を施すことで生成される構成とすることが好適である。
【００２３】
また、本発明に係る遠隔制御システムにおいては、前記属性判別データは、前記分割設定データを表す分割符号列に、当該分割符号列の属性判別が可能な符号列を生成する演算である属性算出演算を施すことで生成される構成とすることが好適である。
【発明の効果】
【００２４】
本発明によれば、無線装置遠隔制御システムにおいて、設定データの更新やシステムの自己診断の際に行われるデータ書き換えに要する時間を短縮することができる。また、書き換えに係るデータ量が削減されるため、符号誤りを低減させることができる。
【００２５】
また、本発明は、ある１つの装置が記憶するデータと複数の装置が記憶するデータとが一致するよう、当該複数の装置それぞれが記憶するデータを書き換えることが要されるような一般的なシステムに適用することができる。
【発明を実施するための最良の形態】
【００２６】
本発明の第１の実施形態につき説明する。図１は、無線装置２とそれを制御する遠隔制御装置１とを備える無線装置遠隔制御システムを示す。遠隔制御装置１からは、無線送信すべき送信信号と無線装置２を制御する制御信号が、送受信部１６および伝送線路３２を介して有線送信される。送信信号は、無線操作部２２に接続されたマイクロフォンから入力された音声情報や、無線操作部２２に入力された文書データ、画像データなどの情報を有する。また、制御信号は、遠隔制御装置１の無線操作部２２において無線装置２の送受信周波数、送受信レベルなどを設定する際に無線操作部２２から送受信部１６を介して有線送信される信号であり、無線装置２の制御に係る情報を有する。無線装置２は送信信号と制御信号を送受信部１６を介して有線受信し、制御信号に基づいて動作するとともに、送信信号を無線制御部２６において変調する。変調された送信信号は、無線部２８によってアンテナ３０から送信される。
【００２７】
また、無線装置２は、アンテナ３０を介して無線部２８によって受信された受信信号を無線制御部２６において復調し、送受信部１６を介して遠隔制御装置１に有線送信する。遠隔制御装置１は当該受信信号を送受信部１６を介して有線受信し、音声をスピーカで再生したり、文書や画像をディスプレイに表示したりする。
【００２８】
無線装置２の記憶部１０には、通信プロトコルや無線装置２の動作モードを設定するための設定データが記憶されており、設定データは設定部２４に読み込まれる。設定部２４はこの設定データに基づいて無線装置２各部の設定を行い、他の無線装置との無線通信および遠隔制御装置１による制御が可能なハードウエアを構築する。
【００２９】
設定データは、システムの初期設定時やシステムのバージョンアップなどによって更新が必要なときに、遠隔制御装置１による制御によって更新される。更新すべき設定データは、まず初めに遠隔制御装置１の記憶部１０に記憶されており、無線装置２への設定データの書き込みは、遠隔制御装置１の記憶部１０で記憶している設定データと同一のデータを、無線装置２の記憶部１０に記憶させることに帰着される。ここで、無線装置２の記憶部１０でどのような設定データが記憶されているかにかかわらず、遠隔制御装置１から全ての設定データを送信していたというのが従来のデータ書き換え方式であった。
【００３０】
以下では、更新前の設定データが既に無線装置２の記憶部１０に記憶されている場合において、遠隔制御装置１の記憶部１０が記憶している最新の設定データに無線装置２の記憶部１０が記憶している設定データを一致させるよう、遠隔制御装置１が無線装置２の記憶部１０で記憶する設定データを書き換える方式および動作について図２から図７を参照して説明する。なお、図２から図７においては、説明の明確化のためデータ書き換えに係る構成要素のみを記載している。また、以下の説明においては、無線装置２の記憶部１０が設定データを記憶するという動作を、単に無線装置２が設定データを記憶する、と、遠隔制御装置１の記憶部１０が設定データを記憶するという動作を、単に遠隔制御装置１が設定データを記憶する、と表現するものとする。
【００３１】
いま、無線装置２の記憶部１０には、図２に示すように設定データ１から設定データ４で構成される設定データ群が記憶されている。図２では、設定データ１から設定データ４を、設定１から設定４と表記しており、以下の図についても同様である。設定データ群は２進数や１６進数などの符号列で表される。ここで、設定データ１から設定データ４のデータ長は任意である。
【００３２】
設定データ群は、設定データ分割部１２によって分割される。この分割は、設定データ１から設定データ４のデータ長とは無関係に行われる。分割は必ずしも等間隔では行う必要はなく、システム仕様において予め定められた間隔で行うこととすればよい。このように、分割の区切りを各々の設定データ長に依存させないことで、あらゆる設定データに対しても同一の分割方法を適用することができる。また、これによって記憶部１０に記憶されている設定データ構造を意識する必要がないためデータ書き換えに係る動作が容易になる。なお、図２の例では設定データ群は分割データＡから分割データＥまでの５つの分割データに等間隔に分割されている。
【００３３】
分割データＡから分割データＥは、それぞれ属性判別符号生成部１４に入力され、属性判別符号Ａから属性判別符号Ｅが生成される。図２では、属性判別符号Ａから属性判別符号Ｅを符号Ａから符号Ｅと表記しており、以下の図においても同様である。ここで属性判別符号とは、分割データをその符号の並びに基づいて複数の属性に分類した場合において、当該属性を識別することが可能なように生成される符号である。生成された属性判別符号が同一であれば、それを生成した元の分割データは同一の属性であるということができる。具体的に属性判別符号は、分割データを表す符号列に、属性判別符号を生成するための行列である属性判別符号生成行列を乗算することによって得られる。属性判別符号生成行列は、誤り訂正符号技術を応用する等、周知の技術によって定義することができる。また、属性判別符号生成行列は、属性判別符号のデータ長が分割データのデータ長より短くなるように定義される。これによって、後に説明するデータ送信に要される時間が短縮されるのである。例えば、１ｋバイトのデータ長を有する分割データから、２バイトのデータ長を有する属性判別符号を生成するためには、８０００×１６の属性判別符号生成行列が定義される。この場合、属性判別符号は２バイトすなわち１６ビットであるから、分割データは２16種類の属性に分類されることとなる。
【００３４】
このようにして生成された属性判別符号Ａから属性判別符号Ｅは、無線装置側属性判別符号群として送受信部１６に入力され、図３に示すように遠隔制御装置１に送信される。なお、ここまでで説明した、設定データ群の分割から無線装置側属性判別符号群の生成までの動作は、無線操作部２２の操作によって、遠隔制御装置１から無線装置２へ設定データ書き換え要求信号が送信された場合に行われる。すなわち、設定データ書き換えの動作を開始させるときには、遠隔制御装置１から設定データ書き換え要求信号を発信する。このように動作させることで、無線装置側属性判別符号群は設定データ書き換え要求時に初めて生成されるため、予め記憶部１０に記憶させておく必要がなくなる。その結果、記憶部１０に常駐させておくべきデータ量が削減され、記憶部１０へのアクセス時間が短縮されるという効果が得られる。
【００３５】
遠隔制御装置１は無線装置側属性判別符号群を送受信部１６で受け取ると、これを比較部１８に入力する。この動作と同時に、遠隔制御装置１は無線装置２と同様の処理によって、遠隔制御装置１の記憶部１０に記憶されている更新設定データ群を分割し、属性判別符号Ａから属性判別符号Ｅで構成される遠隔制御装置側属性判別符号群を生成する。この様子を示したものが図４である。遠隔制御装置側属性判別符号群は比較部１８に入力される。
【００３６】
比較部１８においては無線装置側属性判別符号群と遠隔制御装置側属性判別符号群とが比較される。図５では、属性判別符号Ａと属性判別符号Ｃの部分が無線装置側属性判別符号群と遠隔制御装置側属性判別符号群で異なることを示している。比較部１８はこの結果を書き換えデータ抽出部２０に出力する。書き換えデータ抽出部２０は属性判別符号Ａを生成した分割データＡと、属性判別符号Ｃを生成した分割データＣを、遠隔制御装置１の記憶部１０から読み出し、無線装置２の記憶部１０のアドレスを付加した上で、これを、書き換えデータとして送受信部１６に出力する。遠隔制御装置１は、このようにして生成された書き換えデータを無線装置２に送信する。この様子を示したものが図６である。
【００３７】
無線装置２は、遠隔制御装置１が送信した書き換えデータを送受信部１６を介して受信し、遠隔制御装置１の書き換えデータ抽出部２０で付加されたアドレスに基づいて、書き換えデータを記憶部１０に上書きする。図７の例では、遠隔制御装置１から送信された分割データＡと分割データＣが記憶部１０に上書きされている。このようにして、無線装置２が記憶する設定データと、遠隔制御装置１が記憶する設定データとを一致させることができる。なお、ここでの説明では、設定データ群が設定データ１から設定データ４までの４つの設定データで構成され、設定データ群を分割データＡから分割データＥの５つに分割し、これに対する５つの属性判別符号を生成するという例をとりあげたが、設定データの数や分割の数は任意の数とし得ることはいうまでもない。
【００３８】
以上説明したように、設定データの比較照合を属性判別符号群の比較照合に代えることが可能であるのは、分割データ中の符号が異なれば属性も異なるという蓋然性が高いという事実に基づく。先の例でいえば、１ｋバイトすなわち２8000通りの情報を、２バイトすなわち２16種類の属性に分類したのであるから、ある１つの分割データの属性と同一の属性である分割データは自分自身を除いて２8000 ／２16−１通りあることになる。これより、分割データが異なるにもかかわらず属性判別符号が同一であるがために同一であると認識されてしまう照合誤りの確率は、（２8000 ／２16−１）／２8000 ＝１／２16−１／２8000 である。これを一般化すれば、分割データがｎビット、属性判別符号がｍビットであれば、１／２m−１／２nの確率で照合誤りが生ずるといえる。 したがって、属性判別符号のデータ長ｍビットを分割データのデータ長ｎビットに極力近づけておけば照合誤りを低減することができる。また、実際には１／２m−１／２n の第２項は第１項に対して無視できる程小さくなるようｎ、ｍの値が決定されるため、照合誤り確率はおよそ１／２m となる。
【００３９】
一方、属性判別符号の長さｍビットを分割データを表す符号列の長さｎビットよりも短くしておけば、無線装置側属性判別符号群の符号長が短くなるため、当該符号群を遠隔制御装置１に送信する際に要する時間を短縮することができることは上述の動作説明より明らかである。しかしながら、属性判別符号を短くすると、短くした分だけ属性の種別が少なくなることとなるため、無線装置側属性判別符号群と遠隔制御装置側属性判別符号群とを比較した際に、１／２m−１／２nで表される照合誤り確率が高くなる。したがって、属性判別符号の長さは、書き換え時間の観点および符号誤り確率の観点の両者を鑑みて決定することが好ましい。
【００４０】
本発明の第１の実施形態において無線装置２の動作設定を変更する際には、まず遠隔制御装置１側の記憶部１０に記憶させる設定データを変更し、遠隔制御装置１から設定データ書き換え要求信号を送信することで上述のデータ書き換えの処理を行う。これによって、変更のあった分割データのみの書き換えが行われる。また、無線装置２において設定データが正確に記憶されているか否かを診断する自己診断においては、遠隔制御装置１の記憶部１０の内容は変化させず、遠隔制御装置１から設定データ書き換え要求信号を送信し、上述のデータ書き換えの過程において比較部１８における比較結果を参照すればよい。また、自己診断に留まらず設定データを正確に無線装置２に記憶させるよう修正することも可能であることはいうまでもない。
【００４１】
以上では、遠隔制御装置１が記憶する設定データと無線装置２が記憶する設定データとが一致するように、遠隔制御装置１が無線装置２側で記憶する設定データを書き換える実施形態について説明した。これと全く同様の処理によって、無線装置２が遠隔制御装置１側で記憶する設定データを書き換える第２の実施形態も考えられる。
【００４２】
図８に、その実施形態を実現するための無線装置遠隔制御システムの構成を示す。ここでは第１の実施形態と同一の構成については同一の符号を与え、説明を省略する。遠隔制御装置１は、無線操作部２２の操作により設定データ書き換え要求信号を発信するとともに、記憶部１０が記憶する設定データに基づいて、遠隔制御装置側属性判別符号群を生成し、無線装置２に送信する。なお、遠隔制御装置側属性判別符号群は、第１の実施形態と同様に、設定データ分割部１２および属性判別符号生成部１４によって生成される。無線装置２は、設定データ書き換え要求信号および遠隔制御装置側属性判別符号群を遠隔制御装置１から受信するとともに、遠隔制御装置側属性判別符号群を比較部１８に入力する。また、無線装置２の記憶部１０が記憶する設定データに基づいて、無線装置側属性判別符号群を設定データ分割部１２および属性判別符号生成部１４によって生成し、比較部１８に入力する。書き換えデータ抽出部２０は、比較部１８における遠隔制御装置側属性判別符号群と無線装置側属性判別符号群との比較結果に基づいて、書き換えに係る設定データを記憶部１０から読み出し、書き換えデータを生成する。書き換えデータは遠隔制御装置１に送信され、遠隔制御装置１は、当該書き換えデータを記憶部１０に上書きする。
【００４３】
以上の処理によって、無線装置２が記憶する設定データと遠隔制御装置１が記憶する設定データとが一致するように、無線装置２が遠隔制御装置１側で記憶する設定データを書き換えることができる。
【００４４】
本発明に係る第２の実施形態は、遠隔制御装置１側の環境が頻繁に変更される場合に好適である。例えば、遠隔制御装置１を新たなものに取り換えた場合には、遠隔制御装置１で記憶する設定データが無線装置２で記憶する設定データと一致していない場合が多く、従来の書き換え方式ではシステム立ち上げに時間を要することとなる。第２の実施形態によれば、設定データのうち変更に係る部分の書き換えのみが行われるため、迅速にシステム立ち上げを完了させることが可能となる。
【００４５】
以上、本発明の実施の形態について説明したが、本発明はこれらの例に何ら限定されるものではない。例えば、ある１つの装置が記憶するデータと複数の装置が記憶するデータとが一致するように、当該複数の装置それぞれが記憶するデータを書き換えることが要されるような一般的なシステムに適用することができる。また、本発明は、その要旨を逸脱しない範囲内において、種々なる形態で実施し得ることは勿論である。
【図面の簡単な説明】
【００４６】
【図１】第１の実施形態を実現する無線制御遠隔制御システムの構成を示す図である。
【図２】設定データ群から無線装置側属性判別符号群を生成する過程を示す図である。
【図３】無線装置側属性判別符号群を遠隔制御装置へ送信する過程を示す図である。
【図４】設定データ群から遠隔制御装置側属性判別符号群を生成する過程を示す図である。
【図５】無線装置側属性判別符号群と遠隔制御装置側属性判別符号群とを比較する過程を示す図である。
【図６】書き換えデータを無線装置へ送信する過程を示す図である。
【図７】無線装置に記憶されていた設定データに、書き換えデータを上書きする過程を示す図である。
【図８】第２の実施形態を実現する無線制御遠隔制御システムの構成を示す図である。
【符号の説明】
【００４７】
１  遠隔制御装置、２  無線装置、１０  記憶部、１２  設定データ分割部、１４  属性判別符号生成部、１６  送受信部、１８  比較部、２０  書き換えデータ抽出部、２２  無線操作部、２４  設定部、２６  無線制御部、２８  無線部、３０  アンテナ、３２  伝送線路。
【図１】
2005327032.tif 000003
【図２】
2005327032.tif 000004
【図３】
2005327032.tif 000005
【図４】
2005327032.tif 000006
【図５】
2005327032.tif 000007
【図６】
2005327032.tif 000008
【図７】
2005327032.tif 000009
【図８】
2005327032.tif 000010